(57)【特許請求の範囲】
【請求項１】
締具の締付けに用いる締付け工具であって、
回転軸の先端部に、締具の工具係合部に係合可能な複数の係合部材を放射方向に移動自在に支持すると共に、回転軸の先端部外周に、回転軸に対し回動操作自在な調整スリーブを設けて、調整スリーブの内周に、各係合部材の放射方向外側面に当接可能な、放射方向の位置が互に異なる複数の当座を周方向に並べて形成するものにおいて、
回転軸の先端部を、締具の所定の大きさの工具係合部を係合可能な係合穴を有するソケット部に構成し、
ソケット部の周囲複数箇所に、係合穴に臨むスリットを形成して、各係合部材が各スリットを通して係合穴内に出没されるようにすると共に、
前記複数の当座のうち放射方向最外方に位置する当座に各係合部材の放射方向外側面を当接させた状態では、各係合部材が係合穴に係合する大きさの工具係合部に係合する位置よりも放射方向外方に変位されるようにした、
ことを特徴とする締付け工具。
【発明の詳細な説明】
【０００１】
【発明の属する技術分野】
本発明は、ボルトやナットから成る締具の締付けに用いる締付け工具に関し、特に、ボルト頭部やナット外面等の工具係合部のサイズが異なる種々の締具の締付けを行い得られるようにした、汎用タイプの締付け工具に関する。
【０００２】
【従来の技術】
従来、この種の締付け工具として、特開平７−２５１３８０号公報により、回転軸の先端部に、締具の工具係合部に係合可能な複数の係合部材を放射方向に移動自在に支持すると共に、回転軸の先端部外周に、回転軸に対し回動操作自在な調整スリーブを設けて、調整スリーブの内周に、各係合部材の放射方向外側面に当接可能な、放射方向の位置が互に異なる複数の当座を周方向に並べて形成するものが知られている。そして、このものもでは、各係合部材をばねで放射方向外方に付勢し、調整スリーブの回動で締具の工具係合部の大きさに合った当座を各係合部材の放射方向外側面に対向する位置に選択し、この当座で規制される放射方向位置に各係合部材を付勢保持するようにしている。
【０００３】
【発明が解決しようとする課題】
上記従来の締付け工具は、何れの種類の締具でも常に係合部材を工具係合部に係合させて締付けを行っている。ここで、工具係合部のサイズが大きな締具は締付けトルクも大きく、係合部材に無理がかかって摩耗や破損を生じ易くなり、耐久性が低下する。
本発明は、以上の点に鑑み、耐久性に優れた汎用タイプの締付け工具を提供することを課題としている。
【０００４】
【課題を解決するための手段】
上記課題を解決すべく、本発明は、締具の締付けに用いる締付け工具であって、回転軸の先端部に、締具の工具係合部に係合可能な複数の係合部材を放射方向に移動自在に支持すると共に、回転軸の先端部外周に、回転軸に対し回動操作自在な調整スリーブを設けて、調整スリーブの内周に、各係合部材の放射方向外側面に当接可能な、放射方向の位置が互に異なる複数の当座を周方向に並べて形成するものにおいて、回転軸の先端部を、締具の所定の大きさの工具係合部を係合可能な係合穴を有するソケット部に構成し、ソケット部の周囲複数箇所に、係合穴に臨むスリットを形成して、各係合部材が各スリットを通して係合穴内に出没されるようにすると共に、前記複数の当座のうち放射方向最外方に位置する当座に各係合部材の放射方向外側面を当接させた状態では、各係合部材が係合穴に係合する大きさの工具係合部に係合する位置よりも放射方向外方に変位されるようにしている。
【０００５】
本発明によれば、工具係合部のサイズが小さな締具は係合部材を係合させて締付けを行い、工具係合部のサイズが大きな締具はソケット部を係合させて締付けを行うことができる。このように、係合部材とソケット部とを使い分けることで、係合部材に無理がかかることを防止し、耐久性を向上させることができる。
【０００６】
【発明の実施の形態】
図１を参照して、１は締付け工具の回転軸である。回転軸１の尾端部には、ナットランナ等の駆動源の駆動軸を連結する連結穴２が形成され、また、回転軸１の先端部には、ボルトやナットから成る締具Ｗの工具係合部Ｗａを係合可能な係合穴３ａを有するソケット部３が形成されている。
【０００７】
ソケット部３には、図２に示す如く、係合穴３ａに臨む周囲３箇所のスリット３ｂ，３ｂ，３ｂがソケット部３の略全長に亘って形成されている。そして、締具Ｗの工具係合部Ｗａに係合可能な３個の係合部材４，４，４をこれらスリット３ｂ，３ｂ，３ｂに挿入している。各係合部材４は、ソケット部３に尾端のピン４ａを介して放射方向に揺動自在に枢支されており、各係合部材４の揺動でその先端部が各スリット３ｂを通して係合穴３ａ内に出没されるようにしている。また、各係合部材４は、ねじりコイルばねから成る付勢手段４ｂで放射方向外方に付勢されている。
【０００８】
ソケット部３の外周には、ソケット部３に対し回動操作自在な調整スリーブ５が設けられている。調整スリーブ５の尾端側の半部内周面は円筒面に形成されているが、調整スリーブ５の先端側の半部内周面には、係合部材４の放射方向外側面に当接可能な、各係合部材４について第１と第２の各２個の溝状の当座５ａ，５ｂが周方向に並べて形成されている。これら当座５ａ，５ｂは放射方向の位置が互に異なっており、第１の当座５ａを比較的内方、第２の当座５ｂを比較的外方に位置させている。そして、各係合部材４の放射方向外側面に対向する作動位置に第１の当座５ａが合致する位相に調整スリーブ５を回動したとき、図１（Ａ）及び図２（Ａ）に示す如く、各係合部材４の先端部が係合穴３ａ内に突出され、前記作動位置に第２の当座５ｂが合致する位相に調整スリーブ５を回動したとき、図１（Ｂ）及び図２（Ｂ）に示す如く、各係合部材４が係合穴３ｂに係合する大きさの工具係合部Ｗａに係合する位置よりも放射方向外方に変位されるようにしている。
【０００９】
また、調整スリーブ５は、ソケット部３に対し軸方向に摺動自在であって、常時は、回転軸１上に設けたストッパ５ｃで規制される後退位置にばね５ｄで付勢保持され、この後退位置で各係合部材４に当座５ａ，５ｂが係合可能となるようにしている。そして、調整スリーブ５を後退位置から軸方向先方に前進させたとき、図１（Ｃ）に示す如く、各係合部材４に対する当座５ａ，５ｂの係合が解かれて、調整スリーブ５の回動操作が可能となるようにしている。
【００１０】
以上の構成によれば、工具係合部Ｗａのサイズが小さな締具Ｗについては、ソケット部３の係合穴３ａ内に係合部材４を突出させ、係合部材４を工具係合部Ｗａに係合させて締具Ｗの締付けを行い、工具係合部Ｗａのサイズが大きな締具Ｗについては、係合部材４をソケット部３の係合穴３ａの外方に変位させ、係合穴３ａに工具係合部Ｗａを係合させて締具Ｗの締付けを行うことができる。ここで、工具係合部Ｗａのサイズが大きな締具Ｗは大きな締付けトルクが要求される場合に使用されるから、回転軸１に対し可動の係合部材４を介して締具Ｗの締付けを行うと、係合部材４やこれを支持するピン４ａ等の部材に無理がかかるが、本実施形態では、回転軸１と一体のソケット部３を介して締具Ｗの締付けを行うため、係合部材４等に無理がかからず、耐久性が向上する。
【００１１】
尚、上記実施形態では、係合部材４をソケット部３に揺動自在に枢支したが、ソケット部３に係合部材４を放射方向に平行移動するように支持させても良く、また、各係合部材４について放射方向の位置が異なる３個以上の当座を設け、放射方向最外方に位置する当座を除く複数の当座で係合穴内への係合部材の突出量を大小複数段に切換自在とし、工具係合部のサイズが異なる３種以上の締具に対処し得るようにすることも可能である。
【００１２】
【発明の効果】
以上の説明から明らかなように、本発明によれば、回転軸に対し可動の係合部材と回転軸に一体のソケット部とを締具の工具係合部のサイズに応じて使い分けることができ、係合部材に無理がかかることを防止して、耐久性を向上できる。
【図面の簡単な説明】
【図１】  （Ａ）本発明工具の小サイズの締具に合わせた調整状態を示す縦断面図、（Ｂ）本発明工具の大サイズの締具に合わせた調整状態を示す縦断面図、（Ｃ）本発明工具の調整状態を切換えるときの状態を示す縦断面図
【図２】  （Ａ）図１（Ａ）のIIA-IIA線截断面図、（Ｂ）図１（Ｂ）のIIB-IIB線截断面図
【符号の説明】
Ｗ  締具                Ｗａ  工具係合部
１  回転軸                ３  ソケット部
３ａ  係合穴              ３ｂ  スリット
４  係合部材              ５  調整スリーブ
５ａ，５ｂ  当座
【図１】
0004437597.tif 000002
【図２】
0004437597.tif 000003